【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
少なくとも顔料を含有する第１のインクと、前記第１のインクよりも塩基性領域におけるｐＨ緩衝能が強く、顔料を含有する第２のインクと、を吐出する記録ヘッドの記録媒体上の単位領域に対する複数回の相対的な走査で用いる記録データを生成する画像処理装置であって、
前記単位領域内に記録される前記第１のインクの画像に対応する第１の画像データと、前記単位領域内に記録される前記第２のインクの画像に対応する第２の画像データと、を取得する取得手段と、
前記複数回の走査に対応する複数の第１のマスクパターンであって、記録許容画素と非記録許容画素とが配置された複数の第１のマスクパターンと、前記第１の画像データと、に基づいて、前記第１のインクの記録データを生成し、前記複数回の走査に対応する複数の第２のマスクパターンであって、記録許容画素と非記録許容画素とが配置された複数の第２のマスクパターンと、前記第２の画像データと、に基づいて、前記第２のインクの記録データを生成する生成手段と、を備え、
前記複数の第１のマスクパターンのうちの１つの第１のマスクパターンにおいて互いに隣接して配置された記録許容画素の数の平均は、前記複数の第２のマスクパターンのうちの１つの第２のマスクパターンにおいて互いに隣接して配置された記録許容画素の数の平均よりも多いことを特徴とする画像処理装置。
【請求項２】
前記複数の第１のマスクパターンのそれぞれにおいて互いに隣接して配置された記録許容画素の数の平均は、いずれも前記複数の第２のマスクパターンのそれぞれにおいて互いに隣接して配置された記録許容画素の数の平均よりも多いことを特徴とする請求項１に記載の画像処理装置。
【請求項３】
前記第１、第２のインクのそれぞれのｐＨは、８．５以上９．５以下であることを特徴する請求項１または２に記載の画像処理装置。
【請求項４】
５０ｍｌの前記第２のインクに対し１規定の塩酸水溶液を１ｍｌ添加した際のｐＨの変化は、０以上１．５以下であることを特徴とする請求項１から３のいずれか１項に記載の画像処理装置。
【請求項５】
５０ｍｌの前記第２のインクに対し１規定の塩酸水溶液を１ｍｌ添加した際のｐＨの変化は、０以上１．０以下であることを特徴とする請求項４に記載の画像処理装置。
【請求項６】
前記第１、第２のインクは、それぞれ有機アミンを含有することを特徴とする請求項１から５のいずれか１項に記載の画像処理装置。
【請求項７】
前記有機アミンはトリエタノールアミンであることを特徴とする請求項６に記載の画像処理装置。
【請求項８】
前記第１、第２のインクは、それぞれアニオン性基によって分散又は溶解している色材を含有することを特徴とする請求項１から７のいずれか１項に記載の画像処理装置。
【請求項９】
前記記録媒体は、前記第１および第２のインクに対するブリストー法によるインクの１秒間における転移量が２０ｍｌ・ｍ−２以下の記録媒体であることを特徴とする請求項１から８のいずれか１項に記載の画像記録装置。
【請求項１０】
前記記録媒体の紙面ｐＨは、前記第１のインクのｐＨよりも低い値を示すことを特徴とする請求項１から９のいずれか１項に記載の画像記録装置。
【請求項１１】
前記記録ヘッドは、前記第２のインクよりも塩基性領域におけるｐＨ緩衝能が強く、顔料を含有する第３のインクを更に吐出し、
前記取得手段は、前記単位領域内に記録する前記第３のインクの画像に対応する第３の画像データを更に取得し、
前記生成手段は、前記複数回の走査に対応する複数の第３のマスクパターンであって、記録許容画素と非記録許容画素とが配置された複数の第３のマスクパターンと、前記第３の画像データと、に基づいて、前記第３のインクの記録データを更に生成し、
前記複数の第２のマスクパターンのうちの１つの第２のマスクパターンにおいて互いに隣接して配置された記録許容画素の数の平均は、前記複数の第３のマスクパターンのうちの１つの第３のマスクパターンにおいて互いに隣接して配置された記録許容画素の数の平均よりも多いことを特徴とする請求項１から１０のいずれか１項に記載の画像処理装置。
【請求項１２】
前記複数の第１のマスクパターンのそれぞれに配置された記録許容画素の数は、前記複数の第２のマスクパターンのそれぞれに配置された記録許容画素の数とほぼ等しいことを特徴とする請求項１から１１のいずれか１項に記載の画像処理装置。
【請求項１３】
前記複数の第１のマスクパターンのうちの少なくとも１つの第１のマスクパターンは、記録許容画素が配置されていないことを特徴とする請求項１から１１のいずれか１項に記載の画像処理装置。
【請求項１４】
少なくとも顔料を含有する第１のインクと、前記第１のインクよりもｐＨが高く、顔料を含有する第２のインクと、を吐出する記録ヘッドの記録媒体上の単位領域に対する複数回の相対的な走査で用いる記録データを生成するための画像処理装置であって、
前記単位領域内に記録する前記第１のインクの画像に対応する第１の画像データと、前記単位領域内に記録する前記第２のインクの画像に対応する第２の画像データと、を取得する取得手段と、
前記複数回の走査に対応する複数の第１のマスクパターンであって、記録許容画素と非記録許容画素とが配置された複数の第１のマスクパターンと、前記第１の画像データと、に基づいて、前記第１のインクの記録データを生成し、前記複数回の走査に対応する複数の第２のマスクパターンであって、記録許容画素と非記録許容画素とが配置された複数の第２のマスクパターンと、前記第２の画像データと、に基づいて、前記第２のインクの記録データを生成する生成手段と、を備え、
前記複数の第１のマスクパターンのうちの１つの第１のマスクパターンにおいて互いに隣接して配置された記録許容画素の数の平均は、前記複数の第２のマスクパターンのうちの１つの第２のマスクパターンにおいて互いに隣接して配置された記録許容画素の数の平均よりも多いことを特徴とする画像処理装置。
【請求項１５】
少なくとも顔料を含有する第１のインクと、前記第１のインクよりも塩基性領域におけるｐＨ緩衝能が強く、顔料を含有する第２のインクと、を吐出する記録ヘッドの記録媒体上の単位領域に対する複数回の相対的な走査で用いる記録データを生成する画像処理装置であって、
前記単位領域内に記録する前記第１のインクの画像に対応する第１の画像データと、前記単位領域内に記録する前記第２のインクの画像に対応する第２の画像データと、を取得する取得手段と、
前記複数回の走査に対応する複数の第１のマスクパターンであって、記録許容画素と非記録許容画素とが配置された複数の第１のマスクパターンと、前記第１の画像データと、に基づいて、前記第１のインクの記録データを生成し、前記複数回の走査に対応する複数の第２のマスクパターンであって、記録許容画素と非記録許容画素とが配置された複数の第２のマスクパターンと、前記第２の画像データと、に基づいて、前記第２のインクの記録データを生成する生成手段と、を備え、
前記複数の第１のマスクパターンのうちの１つの第１のマスクパターンに配置された記録許容画素の分散性は、前記複数の第２のマスクパターンのうちの１つの第２のマスクパターンに配置された前記記録許容画素の分散性よりも低いことを特徴とする画像処理装置。
【請求項１６】
少なくとも顔料を含有する第１のインクと、前記第１のインクよりも塩基性領域におけるｐＨ緩衝能が強く、顔料を含有する第２のインクと、を吐出する記録ヘッドの記録媒体上の単位領域に対する複数回の相対的な走査で用いる記録データを生成する画像処理方法であって、
前記単位領域内に記録する前記第１のインクの画像に対応する第１の画像データと、前記単位領域内に記録する前記第２のインクの画像に対応する第２の画像データと、を取得する取得し、
前記複数回の走査に対応する複数の第１のマスクパターンであって、記録許容画素と非記録許容画素とが配置された複数の第１のマスクパターンと、前記第１の画像データと、に基づいて、前記第１のインクの記録データを生成し、前記複数回の走査に対応する複数の第２のマスクパターンであって、記録許容画素と非記録許容画素とが配置された複数の第２のマスクパターンと、前記第２の画像データと、に基づいて、前記第２のインクの記録データを生成する生成し、
前記複数の第１のマスクパターンのうちの１つの第１のマスクパターンにおいて互いに隣接して配置された記録許容画素の数の平均は、前記複数の第２のマスクパターンのうちの１つの第２のマスクパターンにおいて互いに隣接して配置された記録許容画素の数の平均よりも多いことを特徴とする画像処理方法。
【請求項１７】
少なくとも顔料を含有する第１のインクと、前記第１のインクよりも塩基性領域におけるｐＨ緩衝能が強く、顔料を含有する第２のインクと、を吐出する記録ヘッドと、
前記記録ヘッドを記録媒体上の単位領域に対し走査方向へ相対的に複数回走査させる走査手段と、
前記走査手段による走査をさせながら、前記単位領域に対して前記記録ヘッドから前記第１、第２のインクを吐出するように前記第１、第２のインクの吐出を制御する制御手段と、を有する画像記録装置であって、
前記制御手段は、前記単位領域上に形成された前記第１のインクのドットにおけるドット連結度が前記単位領域上に形成された前記第２のインクのドットにおけるドット連結度よりも大きくなるように、前記第１、第２のインクの吐出を制御することを特徴とする画像記録装置。
【請求項１８】
前記第１、第２のインクのそれぞれのｐＨは、８．５以上９．５以下であることを特徴する請求項１７に記載の画像記録装置。
【請求項１９】
５０ｍｌの前記第２のインクに対し１規定の塩酸水溶液を１ｍｌ添加した際のｐＨの変化は、０以上１．５以下であることを特徴とする請求項１７または１８に記載の画像記録装置。
【請求項２０】
前記記録ヘッドは、前記第２のインクよりも塩基性領域におけるｐＨ緩衝能が強く、顔料を含有する第３のインクを更に吐出し、
前記制御手段は、前記単位領域上に形成された前記第２のインクのドットにおけるドット連結度が前記単位領域上に形成された前記第３のインクのドットにおけるドット連結度よりも大きくなるように、前記第２、第３のインクの吐出を制御することを特徴とする請求項１７から１９のいずれか１項に記載の画像記録装置。
【手続補正２】
【補正対象書類名】明細書
【補正対象項目名】００１５
【補正方法】変更
【補正の内容】
【００１５】
そこで、本発明は、少なくとも顔料を含有する第１のインクと、前記第１のインクよりも塩基性領域におけるｐＨ緩衝能が強く、顔料を含有する第２のインクと、を吐出する記録ヘッドの記録媒体上の単位領域に対する複数回の相対的な走査で用いる記録データを生成する画像処理装置であって、前記単位領域内に記録される前記第１のインクの画像に対応する第１の画像データと、前記単位領域内に記録される前記第２のインクの画像に対応する第２の画像データと、を取得する取得手段と、前記複数回の走査に対応する複数の第１のマスクパターンであって、記録許容画素と非記録許容画素とが配置された複数の第１のマスクパターンと、前記第１の画像データと、に基づいて、前記第１のインクの記録データを生成し、前記複数回の走査に対応する複数の第２のマスクパターンであって、記録許容画素と非記録許容画素とが配置された複数の第２のマスクパターンと、前記第２の画像データと、に基づいて、前記第２のインクの記録データを生成する生成手段と、を備え、前記複数の第１のマスクパターンのうちの１つの第１のマスクパターンにおいて互いに隣接して配置された記録許容画素の数の平均は、前記複数の第２のマスクパターンのうちの１つの第２のマスクパターンにおいて互いに隣接して配置された記録許容画素の数の平均よりも多いことを特徴とする。